(57)【要約】      （修正有）【課題】２つの半球体の合わせ面でカードを挟持保持できるカードホルダを提供する。【解決手段】第１合わせ面３ａ及び第１外周面３ｂを有する第１半球体３と、第２合わせ面４ａ及び第２外周面４ｂを有する第２半球体４とを有する。第１合わせ面３ａ及び第２合わせ面４ａは中心線Ｌと同心の円形であり、第１半球体３又は第２半球体４の一方の合わせ面に、中心線Ｌと同心の連結雄ネジ５を設け、かつ第１半球体３又は第２半球体４の他方の合わせ面に、連結雄ネジ５が螺合する連結雌ネジ６を中心線Ｌと同心に形成しており、第１半球体３の第１合わせ面３ａ又は第２半球体４の第２合わせ面４ａの一方に、他方の合わせ面と当接する当接面Ｐ及び他方の合わせ面と相俟って挟持するカード７を収納するカード収納凹部Ｑを形成する。【選択図】図１
0003220899.tif 000002
【実用新案登録請求の範囲】
【請求項１】
中心線（Ｌ）に対して直交する第１合わせ面（３ａ）及び略半球状の第１外周面（３ｂ）を有する第１半球体（３）と、この第１半球体（３）の第１合わせ面（３ａ）に面接する第２合わせ面（４ａ）及び第１半球体（３）の第１外周面（３ｂ）と合わせて１つの略球状外周面（Ｍ）を形成する略半球の第２外周面（４ｂ）を有する第２半球体（４）とを有しており、
前記第１合わせ面（３ａ）及び第２合わせ面（４ａ）は前記中心線（Ｌ）と同心の円形であり、
前記第１半球体（３）又は第２半球体（４）の一方の合わせ面に、前記中心線（Ｌ）と同心の連結ネジ（５）を設け、かつ前記第１半球体（３）又は第２半球体（４）の他方の合わせ面に、前記連結ネジ（５）が螺合する連結雌ネジ（６）を前記中心線（Ｌ）と同心に形成しており、
前記第１半球体（３）の第１合わせ面（３ａ）又は第２半球体（４）の第２合わせ面（４ａ）の一方に、他方の合わせ面と当接する当接面（Ｐ）及び他方の合わせ面と相俟って挟持するカード（７）を収納するカード収納凹部（Ｑ）を形成していることを特徴とするカードホルダ。
【請求項２】
前記第１半球体（３）の第１外周面（３ｂ）と第２半球体（４）の第２外周面（４ｂ）とを合わせた１つの略球状外周面（Ｍ）は、略楕円の球体または略真円の球体であり、２つの合わせ面（３ａ、４ａ）は球体中心（Ｓ）から前記中心線（Ｌ）上でずれていて、第１外周面（３ｂ）は第２外周面（４ｂ）より面積が大であることを特徴とする請求項１に記載のカードホルダ。
【請求項３】
前記第１半球体（３）は、第１外周面（３ｂ）から球体中心（Ｓ）に向けて前記中心線（Ｌ）と直交しかつ前記連結雌ネジ（６）と同一径の取付雌ネジ（８）が形成されており、前記取付雌ネジ（８）と螺合する取付雄ネジ（９）を有しかつ平面上に設置可能な台座（１０）を備えていることを特徴とする請求項２に記載のカードホルダ。
【考案の詳細な説明】
【技術分野】
【０００１】
本考案は、写真やポストカードを立てて保持しておくカードホルダに関する。
【背景技術】
【０００２】
従来のカードホルダは、引用文献１に開示されているように、カードを差込可能なカード差し溝が上向き且つ左右に通り抜けて形成されたホルダー本体と、このホルダー本体に対して上記カード差し溝内へ突出するようにして螺合されるネジ部材とを有しており（請求項１）、螺合したネジ部材の先端でカード差し溝内のカードを押さえて挟むようにしている。
【先行技術文献】
【特許文献】
【０００３】
【特許文献１】実用新案登録第３１３４５０８号公報
【考案の概要】
【考案が解決しようとする課題】
【０００４】
前記従来技術は、ネジ部材の先端でカード差し溝内のカードを押さえるので、カードの厚みが変わっても、適正な圧でカードの挟持保持ができるが、ネジ部材の先端面積は小さいので、カードを傷めたり保持力が十分には得られなかったりすることがある。
本考案は、このような従来技術の問題点を解決できるようにしたカードホルダを提供することを目的とする。
【０００５】
本考案は、２つの半球体の合わせ面でカードを挟持保持できるようにしたカードホルダを提供することを目的とする。
【課題を解決するための手段】
【０００６】
本考案における課題解決のための具体的手段は、次の通りである。
第１に、中心線Ｌに対して直交する第１合わせ面３ａ及び略半球状の第１外周面３ｂを有する第１半球体３と、この第１半球体３の第１合わせ面３ａに面接する第２合わせ面４ａ及び第１半球体３の第１外周面３ｂと合わせて１つの略球状外周面Ｍを形成する略半球の第２外周面４ｂを有する第２半球体４とを有しており、
前記第１合わせ面３ａ及び第２合わせ面４ａは前記中心線Ｌと同心の円形であり、
前記第１半球体３又は第２半球体４の一方の合わせ面に、前記中心線Ｌと同心の連結雄ネジ５を設け、かつ前記第１半球体３又は第２半球体４の他方の合わせ面に、前記連結雄ネジ５が螺合する連結雌ネジ６を前記中心線Ｌと同心に形成しており、
前記第１半球体３の第１合わせ面３ａ又は第２半球体４の第２合わせ面４ａの一方に、他方の合わせ面と当接する当接面Ｐ及び他方の合わせ面と相俟って挟持するカード７を収納するカード収納凹部Ｑを形成していることを特徴とする。
【０００７】
第２に、前記第１半球体３の第１外周面３ｂと第２半球体４の第２外周面４ｂとを合わせた１つの略球状外周面Ｍは、略楕円の球体または略真円の球体であり、２つの合わせ面３ａ、４ａは球体中心Ｓから前記中心線Ｌ上でずれていて、第１外周面３ｂは第２外周面４ｂより面積が大であることを特徴とする。
第３に、前記第１半球体３は、第１外周面３ｂから球体中心Ｓに向けて前記中心線Ｌと直交しかつ前記連結雌ネジ６と同一径の取付雌ネジ８が形成されており、前記取付雌ネジ８と螺合する取付雄ネジ９を有しかつ平面上に設置可能な台座１０を備えていることを特徴とする。
【考案の効果】
【０００８】
本考案によれば、２つの半球体の合わせ面でカードを挟持保持できる。
即ち、請求項１に係る考案は、第１半球体３又は第２半球体４の一方の合わせ面に連結雄ネジ５を設け、他方の合わせ面に連結雌ネジ６を形成し、かつ第１半球体３の第１合わせ面３ａ又は第２半球体４の第２合わせ面４ａの一方に、他方の合わせ面と当接する当接面Ｐ及び他方の合わせ面と相俟って挟持するカード７を収納するカード収納凹部Ｑを形成しているので、カード収納凹部Ｑにカード７を収納した状態で第１半球体３又は第２半球
体４をネジ螺合方向に回転することにより、第１合わせ面３ａと第２合わせ面４ａとの間でカード７を挟持することができ、第１半球体３と第２半球体４が相対回転してもその全体外形を常に同じにしておくことができる。
【０００９】
請求項２に係る考案は、第１半球体３と第２半球体４とは合わせて略楕円の球体または略真円の球体を形成でき、外周面積に大小を付けて、基本となる側と回転し易い側とを作ることができる。
請求項３に係る考案は、外周面積の大きい第１半球体３に取付雌ネジ８が形成されているので、台座１０に取り付けることができる。
【図面の簡単な説明】
【００１０】
【図１】本考案の第１実施形態を示しており、図１（Ａ）は断面正面図、図１（Ｂ）は平面図、図１（Ｃ）は側面図である。
【図２】第１実施形態の半球体の合わせ面を示しており、図２（Ａ）は第１半球体の合わせ面の正面図、図２（Ｂ）は第２半球体の合わせ面の正面図である。
【図３】本考案の第２実施形態を示しており、図３（Ａ）は断面正面図、図３（Ｂ）は平面図である。
【図４】本考案の第３実施形態を示す断面正面図である。
【考案を実施するための形態】
【００１１】
以下、本考案の実施の形態を図面に基づいて説明する。
図１、２において、第１実施形態のカードホルダ１Ａを示している。カードホルダ１Ａは、真鍮ムク材等の金属、アルミニュウム、合成樹脂等で形成されており、手の平に載せられる、また卓上に載置できる大きさになっている。
前記カードホルダ１Ａはそれぞれ略半球状の第１半球体３及び第２半球体４を有し、両半球体３、４を合わせ面３ａ、４ａで対面接合することによりに略球状外周面Ｍを形成することになり、前記合わせ面３ａ、４ａの対面接合によりカード７を挟持保持するように構成されている。
【００１２】
前記カードホルダ１Ａの略球状外周面Ｍはラグビーボールと相似の略楕円の球体形状であり、略楕円球体の球体中心Ｓを通る中心線（楕円の長軸）Ｌ上で２分割して、前記第１半球体３と第２半球体４とを分離形成した形状である。
即ち、第１半球体３は球体中心Ｓを通る中心線Ｌに対して直交する第１合わせ面３ａと略半球状の第１外周面３ｂとを有し、第２半球体４は前記第１半球体３の第１合わせ面３ａに面接する第２合わせ面４ａと第１半球体３の第１外周面３ｂと合わせて１つの略球状外周面Ｍを形成する略半球の第２外周面４ｂを有している。
【００１３】
前記第１半球体３と第２半球体４の２つの合わせ面３ａ、４ａは、球体中心Ｓから前記中心線Ｌ上で寸法αだけずれて位置しており、中心線Ｌと同心の円形でありかつ略同一面積になっており、合わせ面３ａ、４ａが球体中心Ｓから寸法αだけずれていることにより、第１外周面３ｂは第２外周面４ｂより面積が大になり、従って、第１半球体３は第２半球体４より体積及び重量が大であり、第１半球体３が主体、第２半球体４が副体となっている。
【００１４】
前記第１半球体３又は第２半球体４の一方の合わせ面、実施形態では副体である第２半球体４の第２合わせ面４ａには、図１（Ａ、Ｂ）及び図２（Ｂ）に示すように、前記中心線Ｌと同心の連結雄ネジ５が設けられている。
前記第１半球体３又は第２半球体４の他方の合わせ面、実施形態では主体である第１半球体３の第１合わせ面３ａには、図１（Ａ、Ｂ）及び図２（Ａ）に示すように、前記第２半球体４の連結雄ネジ５と螺合する連結雌ネジ６が前記中心線Ｌと同心に形成されている。
【００１５】
また、前記第１半球体３の第１合わせ面３ａ又は第２半球体４の第２合わせ面４ａの一方に、他方の合わせ面と当接する当接面Ｐ及び他方の合わせ面と相俟って挟持するカード７を収納するカード収納凹部Ｑが形成されている。
前記カード収納凹部Ｑは第１合わせ面３ａと第２合わせ面４ａのどちらに形成していてもよく、連結雄ネジ５及び連結雌ネジ６とオーバラップしない範囲で、半円形、矩形等に
形成することができる。
【００１６】
第１合わせ面３ａに形成されたカード収納凹部Ｑは、当接面Ｐから０．１〜０，３ｍｍの１段下がった隙間形成面を形成し、この隙間形成面は対向する第２合わせ面４ａとの間に０．１〜０，３ｍｍの幅の隙間（スリット）を形成する。
前記カード収納凹部Ｑにカード７を収納した状態で、第１半球体３に対して第２半球体４を回転して締結すると、第１半球体３と第２半球体４とでカード７を挟持しかつ保持することになり、カード７に対してカード収納凹部Ｑの全面が当接し、その面積に相当する面積で第２合わせ面４ａが当接して挟持することになる。
【００１７】
なお、カード７の厚さがカード収納凹部Ｑの深さより厚い場合は、第１合わせ面３ａの当接面Ｐと第２合わせ面４ａとの間に隙間を生じ、カード収納凹部Ｑの深さより薄い場合は、カード収納凹部Ｑ内に下敷きシートを挿入する。
前記第１合わせ面３ａと第２合わせ面４ａとは中心線Ｌと同心の円形であり、第１外周面３ｂと第２外周面４ｂも略同一形状であるので、第１半球体３に第２半球体４を締結したときに第２半球体４の回転角が変化しても、略球状外周面Ｍは常に同じになる。
【００１８】
前記主体である第１半球体３には、第１外周面３ｂから球体中心Ｓに向けて前記中心線Ｌと直交しかつ前記連結雌ネジ６と同一径の取付雌ネジ８が形成されており、この取付雌ネジ８に台座１０が装着される。
台座１０は平面上に設置可能なキックティ形状であり、その上部に取付雌ネジ８と螺合する取付雄ネジ９を有し、台座１０を平面上に載置した状態で、取付雄ネジ９に上方から第１半球体３の取付雌ネジ８を螺合することにより、カードホルダ１Ａを台座１０に装着でき、また、その装着状態で平面上に載置しておくことができ、ペーパウエイトとして利用できる。
【００１９】
また、カードホルダ１Ａはカード７を挟持しないとき、第１半球体３の連結雌ネジ６を台座１０の取付雄ネジ９に螺合し、第１半球体３の取付雌ネジ８に第２半球体４の連結雄ネジ５を螺合し、ラグビーボールから想像できない奇形なペーパウエイトとすることができる。
前記第１半球体３にはさらに、第１外周面３ｂで取付雌ネジ８が形成された側と反対側に、台座１０に第１半球体３を装着したときに第１外周面３ｂの上側になる部位に、ペン、筆等を挿入して立てておくペン立て孔１２が穿孔されている。
【００２０】
図３おいて、第２実施形態のカードホルダ１Ｂを示している。カードホルダ１Ｂは、それぞれ略半球状の第１半球体３及び第２半球体４を有し、両半球体３、４を合わせ面３ａ、４ａで対面接合することによりに略球状外周面Ｍを形成することになり、前記合わせ面３ａ、４ａの対面接合によりカード７を挟持保持するように構成されている。
前記カードホルダ１Ａの略球状外周面Ｍはバレーボールやバスケットボール等と相似の略真円の球体形状であり、略真円球体の球体中心Ｓを通る中心線Ｌ上で２分割して、前記第１半球体３と第２半球体４とを分離形成した形状である。
【００２１】
前記第１実施形態と略同様に、第１半球体３は球体中心Ｓを通る中心線Ｌに対して直交する第１合わせ面３ａと略半球状の第１外周面３ｂとを有し、第２半球体４は前記第１半球体３の第１合わせ面３ａに面接する第２合わせ面４ａと第１半球体３の第１外周面３ｂと合わせて１つの略球状外周面Ｍを形成する略半球の第２外周面４ｂを有している。
前記第１半球体３と第２半球体４の２つの合わせ面３ａ、４ａは、球体中心Ｓから前記中心線Ｌ上で寸法αだけずれて位置しており、中心線Ｌと同心の円形でありかつ略同一面積になっており、合わせ面３ａ、４ａが球体中心Ｓから寸法αだけずれていることにより、第１外周面３ｂは第２外周面４ｂより面積が大になり、従って、第１半球体３は第２半球体４より体積及び重量が大であり、第１半球体３が主体、第２半球体４が副体となっている。
【００２２】
前記第１半球体３又は第２半球体４の一方の合わせ面（副体である第２半球体４の第２合わせ面４ａ）には、中心線Ｌと同心の連結雄ネジ５が設けられ、他方の合わせ面（主体である第１半球体３の第１合わせ面３ａ）には、前記第２半球体４の連結雄ネジ５と螺合する連結雌ネジ６が前記中心線Ｌと同心に形成されている。
また、前記第１半球体３の第１合わせ面３ａ又は第２半球体４の第２合わせ面４ａの一方に、他方の合わせ面と当接する当接面Ｐ及び他方の合わせ面と相俟って挟持するカード７を収納するカード収納凹部Ｑが形成されている。
【００２３】
さらに、主体である第１半球体３には第１外周面３ｂから球体中心Ｓに向けて前記中心線Ｌと直交しかつ前記連結雌ネジ６と同一径の取付雌ネジ８が形成されており、この取付雌ネジ８に台座１０の取付雄ネジ９が螺合装着されている。
この略真円球体のカードホルダ１Ｂも第１実施形態と同様に、第１合わせ面３ａに形成された０．１〜０，３ｍｍの幅のカード収納凹部Ｑにカード７を収納して、第１半球体３に対して第２半球体４を回転して締結すると、第１半球体３と第２半球体４とでカード７を挟持しかつ保持することになり、カード収納凹部Ｑの全面でカード７を挟持する。
【００２４】
図４おいて、第３実施形態のカードホルダ１Ｃを示している。カードホルダ１Ｃは、前記第１実施形態のカードホルダ１Ａと同様に、略球状外周面Ｍがラグビーボールと相似の略楕円の球体形状であり、略楕円球体を中心線（楕円の長軸）Ｌ上でかつ球体中心Ｓを通る面で２分割して、前記第１半球体３と第２半球体４とを形成しており、第１半球体３の第１合わせ面３ａと略半球状の第１外周面３ｂとは、第２半球体４の第２合わせ面４ａと略半球状の第２外周面４ｂとは同一になっている。
【００２５】
第２半球体４の第２合わせ面４ａに連結雄ネジ５を設け、第１半球体３の第１合わせ面３ａに連結雌ネジ６を形成し、かつこの第１合わせ面３ａに他方の合わせ面と当接する当接面Ｐ及び他方の合わせ面と相俟って挟持するカード７を収納するカード収納凹部Ｑを形成している。
従って、第１半球体３と第２半球体４とには主・副の関係はないが、カード収納凹部Ｑにカード７を収納するので、第１半球体３を固定しておいて、第２半球体４を回転して連結雄ネジ５を連結雌ネジ６に螺合し、第１半球体３と第２半球体４の結合を行うことが好ましい。
【００２６】
第３実施形態の台座１０は取付雄ネジを備えていなく、従って、カードホルダ１Ｃにも台座取り付け用の取付雌ネジは存在しなく、台座１０の上面にはカードホルダ１Ｃを傾斜姿勢（ラグビーボールキック姿勢）で載置保持する円弧載置面１０ａが形成されている。
なお、このカードホルダ１Ｃにおいては、合わせ面３ａ，４ａ及びカード収納凹部Ｑは台座１０の載置面に対して傾斜するので、カード７は上部を垂直にできるように下部を傾斜させることが好ましい。
【００２７】
なお、本考案は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、第２実施形態のカードホルダ１Ｂの合わせ面３ａ，４ａは、第３実施形態のカードホルダ１Ｃの合わせ面３ａ，４ａと同様に、中心線Ｌ上でかつ球体中心Ｓを通る位置に形成してもよい。その場合、取付雌ネジ８は省略する。
【００２８】
また、第１半球体３の第１外周面３ｂ、第２半球体４の第２外周面４ｂの半球、それらを合わせた１つの球状外周面Ｍの楕円または真円とは、正確な半球、楕円、真円でなくともよく、概ねそれらの形状に近似であればよい。
【符号の説明】
【００２９】
１Ａ、１Ｂ、１Ｃ      カードホルダ
３      第１半球体
３ａ    第１合わせ面
３ｂ    第１外周面
４      第２半球体
４ａ    第２合わせ面
４ｂ    第２外周面
５      連結雄ネジ
６      連結雌ネジ
７      カード
８      取付雌ネジ
９      取付雄ネジ
１０    台座
α      寸法
Ｌ      中心線
Ｍ      略球状外周面
Ｐ      当接面
Ｑ      カード収納凹部
Ｓ      球体中心
【図１】
0003220899.tif 000003
【図２】
0003220899.tif 000004
【図３】
0003220899.tif 000005
【図４】
0003220899.tif 000006